(57)【特許請求の範囲】
【請求項１】
高さ方向に配列された複数の棚板を有する棚部と該棚部を昇降させる昇降機構とを有する昇降棚と、
該昇降棚の使用者がアクセスする側となる前側に配置された什器と、を有する家具ユニットにおいて、
前記複数の棚板のうちの最下に位置する最下棚板以外の少なくとも１つは、前記什器の上方に配置され、前側の端部が前記什器の上面の後側の端部よりも前側に突出する突出棚板であり、
前記突出棚板は、前記棚部が下降可能な最下の位置まで下降しても前記什器の上面よりも上側に配置されていることを特徴とする家具ユニット。
【請求項２】
前記最下棚板の前側の端部は、前記什器の上面の後側の端部よりも後側に配置されていることを特徴とする請求項１に記載の家具ユニット。
【発明の詳細な説明】
【技術分野】
【０００１】
本発明は、昇降棚と机とを有する家具ユニットに関する。
【背景技術】
【０００２】
従来、棚が上下方向に昇降可能な昇降棚と連続して机が設けられた家具ユニットが知られている（例えば、特許文献１および２参照）。このような家具ユニットは、棚に上下方向に配列された複数の棚板が設けられており、この棚を昇降させることで各棚板に容易に物品を出し入れしたり、各棚板に載置された物品を容易に確認したりすることができる。
また、棚板に機器類を設置し、これらの機器類を使用しながら机で作業することがある。
【先行技術文献】
【特許文献】
【０００３】
【特許文献１】特開昭６２−２０７４０８号公報
【特許文献２】実開昭５６−２０５４５号公報
【発明の概要】
【発明が解決しようとする課題】
【０００４】
複数の棚板に載置された物品を使用したり、複数の棚板に物品を出し入れしたりする場合、上側に配置された棚板は下側に配置された棚板よりも使用者の手が届きづらく、使い勝手が悪いという問題がある。
【０００５】
そこで本発明は、上側に配置された棚板にアクセスしやすく使い勝手のよい家具ユニットを提供することを目的とする。
【課題を解決するための手段】
【００１１】
上記目的を達成するため、本発明に係る家具ユニットは、高さ方向に配列された複数の棚板を有する棚部と該棚部を昇降させる昇降機構とを有する昇降棚と、該昇降棚の使用者がアクセスする側となる前側に配置された什器と、を有する家具ユニットにおいて、前記複数の棚板のうちの最下に位置する最下棚板以外の少なくとも１つは、前記什器の上方に配置され、前側の端部が前記什器の上面の後側の端部よりも前側に突出する突出棚板であり、前記突出棚板は、前記棚部が下降可能な最下の位置まで下降しても前記什器の上面よりも上側に配置されていることを特徴とする。
【００１２】
本発明では、突出棚板が什器の上面の後側の端部より前側に突出していることにより、什器の前側からであっても什器越しに最下棚板よりも上方に位置する突出棚板にアクセスしやすく、使い勝手を良くすることができる。
【００１３】
また、本発明に係る家具ユニットでは、前記突出棚板は、前記棚部が下降可能な最下の位置まで下降しても前記什器の上面よりも上側に配置されている。
このような構成とすることにより、棚部を下降させても突出棚板と什器の上面とが干渉することを防止できる。
【００１５】
また、本発明に係る家具ユニットでは、前記最下棚板の前側の端部は、前記什器の上面の後側の端部よりも後側に配置されていることが好ましい。
このような構成とすることにより、最下棚板は什器の上面と上下方向に重ならないため、棚部が下降しても最下棚板が什器と干渉することを防止できる。
【発明の効果】
【００１７】
本発明によれば、上側に配置された棚板（突出棚板）にアクセスしやすく、使い勝手を良くすることができる。
【図面の簡単な説明】
【００１８】
【図１】本発明の実施形態による家具ユニットの一例で昇降棚の棚部が最上の位置に配置された状態を示す図ある。
【図２】昇降棚を前側から見た図である。
【図３】家具ユニットの昇降棚の棚部が最下の位置に配置された状態を示す図である。
【図４】本発明の実施形態による昇降棚の変形例を示す図である。
【図５】本発明の実施形態による昇降棚の他の変形例を示す図である。
【図６】本発明の実施形態による昇降棚の更に他の変形例を示す図である。
【発明を実施するための形態】
【００１９】
以下、本発明の実施形態による昇降棚および家具ユニットについて、図１乃至図３に基づいて説明する。
図１に示すように、本実施形態による家具ユニット１は、昇降棚２と、昇降棚２と隣接して配置された机（什器）３と、を有している。
机３は、昇降棚２に対して使用者１１が昇降棚２に載置された物品にアクセスする側に配置されている。机３は、昇降棚２よりも高さが低く、使用者１１は机３を介した状態で机３の上側から昇降棚２に載置された物品にアクセスできるように構成されている。
昇降棚２と机３とを結ぶ方向を前後方向とし、昇降棚２に対して机３が配置されている側を前側、机３に対して昇降棚２が配置されている側を後側とする。また、前後方向に直交する水平方向を幅方向とする。
【００２０】
図１および図２に示すように、昇降棚２は、物品を載置可能な棚部２１と、棚部２１を支持する一対の脚部２２，２２と、を有している。以下、昇降棚２の脚部２２，２２を棚脚部２２，２２とする。
一対の棚脚部２２，２２は、床面１２に互いに幅方向に間隔をあけて設けられている。
一対の棚脚部２２，２２は、それぞれ床面１２に設けられた下部支持体２２１と、下部支持体２２１および棚部２１に連結された昇降機構２２２と、を有している。
【００２１】
下部支持体２２１は、前後方向に延在する部材で床面１２に配置されている。下部支持体２２１の下面には、下部支持体２２１の高さおよびレベルの調整を行うアジャスター２２３が設けられている。また、下部支持体２２１の前端部２２１ａには、前側に配置される机３の机脚部３２との間隔を一定に保持するとともに下部支持体２２１を床面１２に固定するためのスペーサ２２４（図１参照）が設けられている。下部支持体２２１の後端部２２１ｂには、下部支持体２２１を床面１２に固定するための固定金具２２５（図１参照）が設けられている。
【００２２】
昇降機構２２２は、下部支持体２２１および棚部２１の前後方向の中間部に連結されている。
昇降機構２２２は、上下方向に延在し下部支持体２２１と連結された筒状の下部筒状体２２６と、上下方向に延在し棚部２１と連結されるとともに下部筒状体２２６の中に収納された筒状の上部筒状体２２７と、下部筒状体２２６に対して上部筒状体２２７を上下方向に移動させる駆動部（不図示）と、を有している。
【００２３】
下部筒状体２２６および上部筒状体２２７は、それぞれ角筒状に形成されていて、延在方向に相対移動可能に構成されている。なお、筒状に形成された上部筒状体２２７に代わって、上下方向に延在し棚部２１と連結されるとともに下部筒状体２２６の中に収納される部材として棒状の部材が設けられていてもよい。
昇降機構２２２によって、下部筒状体２２６に対して上部筒状体２２７が上下方向に移動することにより、上部筒状体２２７に連結された棚部２１が上部筒状体２２７と共に上下方向に移動して昇降するように構成されている。
【００２４】
棚部２１は、上下方向に間隔をあけて配置された３枚の棚板２１１〜２１３と、３枚の棚板２１１〜２１３の上下方向の間隔を保持する４本の支柱部２１４，２１４…と、を有している。
３枚の棚板２１１〜２１３は、それぞれ平面視形状が幅方向に長い略長方形状に形成されている。３枚の棚板２１１〜２１３は、それぞれ左右方向の端部の位置が上下方向に重なるように配置されている。
３枚の棚板２１１〜２１３のうちの最下に位置する棚板２１１を最下棚板２１１とすると、最下棚板２１１よりも上側の２枚の棚板２１２，２１３は、前端部２１２ａ，２１３ａが、最下棚板２１１の前端部２１１ａよりも前側に突出している。最下棚板２１１よりも上側の２枚の棚板２１２，２１３のうちの上側の棚板２１２を第１突出棚板（突出棚板）２１２とし、下側の棚板２１３と第２突出棚板（突出棚板）２１３とする。
【００２５】
第１突出棚板２１２および第２突出棚板２１３は、それぞれの前端部２１２ａ，２１３ａが上下方向に重なる位置に配置されている。最下棚板２１１の前端部２１１ａは、棚脚部２２の前端部２２ａ（下部支持体２２１の前端部２２１ａ）の鉛直方向上側の近傍に配置されている。
また、第１突出棚板２１２および第２突出棚板２１３は、それぞれの後端部２１２ｂ，２１３ｂが最下棚板２１１の後端部２１１ｂよりもやや前側に配置されている。
【００２６】
最下棚板２１１の下側には、最下棚板２１１を補強する補強部材２１４が設けられている。最下棚板２１１の平面視における四隅にそれぞれ支柱部２１４，２１４…が立設している。
前後方向に配列された２本の支柱部２１４，２１４の上端部には、これらの上端部どうしを連結するように第１突出棚板２１２を支持する第１突出棚板支持部材２１５が設けられている。前後方向に配列された２本の支柱部２１４，２１４の高さ方向の中間部には、これらの高さ方向の中間部どうしを連結するように第２突出棚板２１３を支持する第２突出棚板支持部材２１６が設けられている。
このため、第２突出棚板２１３は、支柱部２１４，２１４…の上端部の高さに配置され、第２突出棚板２１３は支柱部２１４，２１４…の高さ方向の中間部の高さに配置されている。
なお、支柱部２１４，２１４…に対する第１棚板支持部材２１５および第２棚板支持部材２１６の取付け高さが変更可能で、第１突出棚板２１２および第２突出棚板２１３の高さを変更可能に構成されていてもよい。
【００２７】
本実施形態では、第２突出棚板２１３の前端部２１３ａ近傍に、昇降機構２２２を伸縮動作させるための操作入力を行うスイッチ２４が設けられている。スイッチ２４は、ケーブル（不図示）により制御ユニット（不図示）に電気的に接続されている。使用者１１（図１参照）がスイッチ２４に対して所定の操作を入力すると、ケーブルを介して、スイッチ２４から制御ユニットに操作信号が送信される。制御ユニットは、スイッチ２４から操作信号を受信すると、受信した信号に基づいて昇降機構２２２に昇降動作を実行させる指令信号を出力する。昇降機構２２２は、指令信号を受け取ると、その指令信号に応じて伸縮動作する。これにより、棚部２１の高さの調整が行われる。
【００２８】
本実施形態では、最下棚板２１１の後端部２１１ｂは、棚脚部２２の後端部２２ｂ（棚脚部２２の下部支持体２２１を床面１２に固定するための固定金具２２５の後端部２２５ｂ）よりも前側に配置されている。これにより、昇降棚２が壁１３に沿って配置され、棚脚部２２の後端部２２ｂが壁１３と当接する場合でも、最下棚板２１１と壁１３との間には隙間Ｓ１ができる。このため、棚部２１に載置された機器類の配線をこの隙間Ｓ１に挿通させて床面１２まで伸ばすことができる。
【００２９】
また、上述したように、第１突出棚板２１２の後端部２１２ｂおよび第２突出棚板２１３の後端部２１３ｂは、最下棚板２１１の後端部２１１ｂよりもやや前側に配置されている。これにより、昇降棚２が壁１３に沿って配置され、最下棚板２１１と壁１３との隙間Ｓ１が小さい、またはほとんど無い場合でも、第１突出棚板２１２の後端部２１２ｂおよび第２突出棚板２１３の後端部２１３ｂと壁１３との間には最下棚板２１１と壁１３との隙間Ｓ１よりも大きな隙間Ｓ２ができる。このため、最下棚板２１１、第１突出棚板２１２および第２突出棚板２１３に載置された機器類どうしを接続する配線を隙間Ｓ２に挿通させることができる。
【００３０】
図１に示すように、机３は、天板３１と、天板３１を支持する一対の脚部３２，３２と、を有している。以下、机３の脚部３２，３２を机脚部３２，３２とする。
天板３１は、平面視形状が幅方向に長い略長方形状に形成されている。
一対の机脚部３２，３２は、互いに幅方向に間隔をあけて配置され、天板３１の幅方向の端部近傍に連結されている。天板３１の後端部３１ｂと一対の机脚部３２，３２の後端部３２ｂ，３２ｂとは上下方向に重なる位置に配置されている。
【００３１】
昇降棚２と机３とは、一対の机脚部３２，３２の後端部３２ｂ，３２ｂが一対の棚脚部２２，２２それぞれの下部支持体２２１の前端部２２１ａに設けられたスペーサ２２４と当接するように昇降棚２の前側に机３が配置される。このように机３と昇降棚２とが配置されると、昇降棚２の最下棚板２１１の前端部２１１ａは、机３の天板３１の後端部３１ｂよりもやや後側に配置され、昇降棚２の第１突出棚板２１２の前端部２１２ａおよび第２突出棚板２１３の前端部２１３ａは、机３の天板３１の後端部３１ｂよりも前側に配置される。
【００３２】
また、図１に示すように、昇降棚２と机３とは、机３の天板３１の上面と、昇降棚２の棚部２１が上昇可能な最上の位置に配置された際の最下棚板２１１の上面とが略同じ高さとなるように設定されている。このため、図３に示すように、昇降棚２の棚部２１が最上の位置から下側に移動すると、最下棚板２１１は机３の天板３１よりも下側に配置される。
また、昇降棚２と机３とは、昇降棚２の棚部２１が下降可能な最下の位置に配置された際の第２突出棚板２１３の下面が机３の天板３１よりも上側に配置されるように設定されている。このため、昇降棚２の棚部２１が最下の位置に配置されても、第２突出棚板２１３が机３の天板３１と干渉することが防止される。
【００３３】
次に、上述した本実施形態による昇降棚２および家具ユニット１の作用・効果について図面を用いて説明する。
上述した本実施形態による昇降棚２および家具ユニット１では、第１突出棚板２１２および第２突出棚板２１３が最下棚板２１１より前側に突出していることにより、最下棚板２１１よりも上方に配置された第１突出棚板２１２および第２突出棚板２１３に机３の前側からでもアクセスしやすく、使い勝手を良くすることができる。
また、第２突出棚板２１３の前端部２１３ａ近傍には、棚部２１の昇降および停止を切り替えるスイッチ２４が設けられていることにより、スイッチ２４が机３の天板３１の後端部３１ｂよりも前側に配置されるため、スイッチ２４へアクセスしやすく、スイッチ２４を容易に操作することができる。
【００３４】
第２突出棚板２１３は、棚部２１が下降可能な最下の位置まで下降しても机３の天板３１の上面よりも上側に配置されていることにより、棚部２１を下降させても第２突出棚板２１３と机３の天板３１とが干渉することを防止できる。
最下棚板２１１の前端部２１１ａは、机３の天板３１の後端部３１ｂよりも後側に配置されていることにより、最下棚板２１１と机３の天板３１とが上下方向に重ならないため、棚部２１が下降しても最下棚板２１１が机３の天板３１と干渉することを防止できる。
【００３５】
また、最下棚板２１１は、棚部２１を下降させると机３の天板３１よりも下側に配置できることにより、最下棚板２１１が机３の天板３１の高さまでしか下降できない場合と比べて、第１突出棚板２１２および第２突出棚板２１３をより低い位置に配置させることができる。このため、第１突出棚板２１２および第２突出棚板２１３にアクセスしやすく、使い勝手を良くすることができる。
【００３６】
以上、本発明による昇降棚２および家具ユニット１の実施形態について説明したが、本発明は上記の実施形態に限定されるものではなく、その趣旨を逸脱しない範囲で適宜変更可能である。
例えば、上記の実施形態では、最下棚板２１１の上側に配置されるすべての棚板（第１突出棚板２１２および第２突出棚板２１３）の前端部が最下棚板２１１の前端部２１１ａよりも前側に突出しているが、図４に示す昇降棚２Ａのように、最下棚板２１１の上側に配置される少なくとも１つの棚板（図４では棚板４）の前端部４ａが最下棚板２１１の前端部２１１ａよりも前側に突出していればよい。また、最下棚板２１１の上側に配置される複数の棚板の前端部が最下棚板２１１の前端部２１１ａよりも前側に突出する場合、それぞれが最下棚板２１１の前端部２１１ａよりも前側に突出する寸法は同一であっても異なっていてもよい。
また、最下棚板２１１より上側に配置される棚板は１枚でもよいし、３枚以上でもよい。
また、上記の実施形態では、昇降棚２の前側に机３が配置されているが、昇降棚２の前側には、机３以外の什器が配置されていてもよいし、机３などの什器が配置されておらず、昇降棚２を単独で使用してもよい。
【００３７】
また、図５に示す昇降棚２Ｂのように、机３の天板３１（図１参照）と同様に使用される天板５と複数の棚板６１〜６３を有する棚部６とが一体化していて、天板５と同じ高さにある棚板６１を最下棚板６１とし、最下棚板６１よりも上側にあって最下棚板６１よりも前側に突出している棚板６２，６３を突出棚板６２，６３としてもよい。
また、図６に示す昇降棚２Ｃように、机３の天板３１（図１参照）と同様に使用される天板５と複数の棚板７１，７２を有する棚部７とが一体化していて、天板５のすぐ上にある棚板７１を最下棚板７１とし、最下棚板７１よりも上側にあって最下棚板７１よりも前側に突出している棚板７２を突出棚板としてもよい。
【００３８】
また、上記の実施形態では、棚部２１の昇降および停止を切り替えるスイッチ２４が第２突出棚板２１３の前端部２１３ａ近傍に設けられているが、スイッチ２４が設けられる位置は適宜設定されてよい。また、棚部２１の昇降および停止は、電動ではなく手動で行うように構成されていてもよい。
また、上記の実施形態では、第１突出棚板２１２の前端部２１２ａおよび第２突出棚板２１３の前端部２１３ａは、棚脚部２２の前端部２２ａよりも前側に突出しているが、棚脚部２２の前端部２２ａよりも前側に突出していなくてもよい。
【００３９】
また、上記の実施形態では、最下棚板２１１の前端部２１１ａは、棚脚部２２の前端部２２ａの鉛直方向上側の近傍に配置されているが、棚脚部２２の前端部２２ａの鉛直方向上側よりも前側または後側に配置されていてもよい。
また、上記の実施形態では、第２突出棚板２１３は、棚部２１が下降可能な最下の位置まで下降すると机３の天板３１よりも上側で停止するように構成されているが、棚部２１が下降可能した際に第２突出棚板２１３が机３の天板３１と当接して棚部２１の下降が停止するように構成されていてもよい。
【００４０】
また、上記の実施形態では、最下棚板２１１の前端部２１１ａは、机３の天板３１の後端部３１ｂよりも後側に配置されているが、机３の天板３１の後端部３１ｂよりも、前側に配置されていてもよい。
また、上記の実施形態では、最下棚板２１１は、棚部２１が下降可能な最下の位置まで下降すると机３の天板３１よりも下側に配置されるが、天板３１よりも上側または天板３１と同じ高さで停止するように構成されていてもよい。
【符号の説明】
【００４１】
１  家具ユニット
２，２Ｂ，２Ｃ  昇降棚
３  机
１１  使用者
２１  棚部
２２  棚脚部（脚部）
２４  スイッチ
３１  天板
３２  机脚部（脚部）
２１１  最下棚板
２１２  第１突出棚板（突出棚板）
２１３  第２突出棚板（突出棚板）
２２２  昇降機構
【図１】
0006803153.tif 000002
【図２】
0006803153.tif 000003
【図３】
0006803153.tif 000004
【図４】
0006803153.tif 000005
【図５】
0006803153.tif 000006
【図６】
0006803153.tif 000007